(57)【要約】【課題】洗濯する際にファスナのスライダを開いておいても、洗濯機のドラムが傷つくおそれやスライダが破損するおそれを回避する。【解決手段】シート状の基材５と、基材５の縁に沿って設けられたファスナ７の一方のレール９と、一方のレール９に係合して移動するファスナ７のスライダ１３と、一方のレール９の端部に設けられたファスナ７のストッパ１５と、スライダ１３がストッパ１５に当接している位置に存在するときにスライダ１３を覆うカバー部材２１とを有する。【選択図】図４
2009007704.tif 000002
【特許請求の範囲】
【請求項１】
シート状の基材と；
前記基材の縁に沿って設けられたファスナの一方のレールと；
前記一方のレールに係合して移動する前記ファスナのスライダと；
前記一方のレールの端部に設けられた前記ファスナのストッパと；
前記スライダが前記ストッパに当接している位置に存在するときに、もしくは、前記スライダが前記ストッパの近傍に存在しているときに、前記スライダを覆うカバー部材と；
を有することを特徴とするファスナのカバー構造。
【請求項２】
請求項１に記載のファスナのカバー構造において、
塵抜き用開口部が、前記カバー部材に設けられていることを特徴とするファスナのカバー構造。
【請求項３】
シート状の基材と；
前記基材の縁に沿って設けられたファスナの一方のレールと；
前記一方のレールに係合して移動する前記ファスナのスライダと；
前記スライダが前記一方のレールから脱落することを防止するために前記一方のレールの端部に設けられた前記ファスナのストッパと；
頂角が鈍角である二等辺三角形状で板状の部材を２つの斜辺がお互いにほぼ重なるように折って重ねた直角三角形状に形成され、前記スライダが前記ストッパに当接している位置に存在するときに、もしくは、前記スライダが前記ストッパの近傍に存在しているときに、前記スライダと前記ストッパとが前記重ねた部材の内側に入り込み、前記折った部位が、前記レールの長手方向と交差する方向に延びるようにして、前記基材に一体的に設けられたカバー部材と；
を有することを特徴とするファスナのカバー構造。
【請求項４】
請求項３に記載のファスナのカバー構造において、
前記カバー部材の前記折った部位に、前記基材の近傍に位置する部位を基点として前記基材から離れる側に向かって所定の長さの切り込みが設けられていることを特徴とするファスナのカバー構造。
【請求項５】
前側のほぼ中央に上下に長い開閉部が形成されている本体部と；
前記本体部の開閉部の一方の縁に沿って前記本体部に設けられた一方のレールと、前記本体部の開閉部の他方の縁に沿って前記本体部に設けられた他方のレールと、前記一方のレールの下端に設けられたストッパと、前記レールに係合して移動するスライダとを備えたファスナと；
頂角が鈍角である二等辺三角形状で板状の部材を２つの斜辺がお互いにほぼ重なるように折って重ねた直角三角形状に形成され、前記スライダが前記ストッパに当接している位置に存在するときに、もしくは、前記スライダが前記ストッパの近傍に存在しているときに、前記スライダと前記ストッパとが前記重ねた部材の内側に入り込み、前記折った部位が、前記レールの長手方向と交差する方向に延びるようにして、前記本体部の一方の縁に一体的に設けられたカバー部材と；
を有することを特徴とする上衣。
【請求項６】
請求項５に記載の上衣において、
前記カバー部材の前記折った部位に、前記本体部の近傍に位置する部位を基点として前記本体部から離れる側に向かって所定の長さの切り込みが設けられていることを特徴とする上衣。
【発明の詳細な説明】
【技術分野】
【０００１】
本発明は、ファスナのカバー構造および上衣に係り、特に、ファスナを開いたときにファスナのスライダを覆うことができるものに関する。
【背景技術】
【０００２】
従来、前側のほぼ中央に上下に延びた開閉部（前立て）が形成されている上衣であって、前記開閉部を開閉するためのファスナが設けられている上衣（たとえば作業用の上着）が知られている。従来の上衣では、ファスナ（開閉部）を閉じた状態で洗濯をすることになっている。なお、前記従来のものに関連する特許文献としてたとえば特許文献１を掲げることができる。
【特許文献１】実用新案登録第３０８８１１２号公報
【発明の開示】
【発明が解決しようとする課題】
【０００３】
ところで、従来の上衣では、この上衣を着用していた作業者が、ファスナを開いた状態のまま洗濯を依頼することがあり、洗濯をする者がファスナを閉じることを忘れたまま上衣を洗濯することがある。ファスナを開いたままで洗濯すると、ファスナを閉じたときに比べてファスナのスライダが大きくあばれてしまい、洗濯機のドラムの内壁に傷をつけたり、また、スライダが破損するおそれが高くなるという問題がある。
【０００４】
本発明は、前記問題点に鑑みてなされたものであり、洗濯する際にファスナのスライダを開いておいても、洗濯機のドラムが傷つくおそれやスライダが破損するおそれを回避することができる上衣やファスナのカバー構造を提供することを目的とする。
【課題を解決するための手段】
【０００５】
請求項１に記載の発明は、シート状の基材と、前記基材の縁に沿って設けられたファスナの一方のレールと、前記一方のレールに係合して移動する前記ファスナのスライダと、前記一方のレールの端部に設けられた前記ファスナのストッパと、前記スライダが前記ストッパに当接している位置に存在するときに、もしくは、前記スライダが前記ストッパの近傍に存在しているときに、前記スライダを覆うカバー部材とを有するファスナのカバー構造である。
【０００６】
請求項２に記載の発明は、請求項１に記載のファスナのカバー構造において、塵抜き用開口部が、前記カバー部材に設けられているファスナのカバー構造である。
【０００７】
請求項３に記載の発明は、シート状の基材と、前記基材の縁に沿って設けられたファスナの一方のレールと、前記一方のレールに係合して移動する前記ファスナのスライダと、前記スライダが前記一方のレールから脱落することを防止するために前記一方のレールの端部に設けられた前記ファスナのストッパと、頂角が鈍角である二等辺三角形状で板状の部材を２つの斜辺がお互いにほぼ重なるように折って重ねた直角三角形状に形成され、前記スライダが前記ストッパに当接している位置に存在するときに、もしくは、前記スライダが前記ストッパの近傍に存在しているときに、前記スライダと前記ストッパとが前記重ねた部材の内側に入り込み、前記折った部位が、前記レールの長手方向と交差する方向に延びるようにして、前記基材に一体的に設けられたカバー部材とを有するファスナのカバー構造である。
【０００８】
請求項４に記載の発明は、請求項３に記載のファスナのカバー構造において、前記カバー部材の前記折った部位に、前記基材の近傍に位置する部位を基点として前記基材から離れる側に向かって所定の長さの切り込みが設けられているファスナのカバー構造である。
【０００９】
請求項５に記載の発明は、前側のほぼ中央に上下に長い開閉部が形成されている本体部と、前記本体部の開閉部の一方の縁に沿って前記本体部に設けられた一方のレールと、前記本体部の開閉部の他方の縁に沿って前記本体部に設けられた他方のレールと、前記一方のレールの下端に設けられたストッパと、前記レールに係合して移動するスライダとを備えたファスナと、頂角が鈍角である二等辺三角形状で板状の部材を２つの斜辺がお互いにほぼ重なるように折って重ねた直角三角形状に形成され、前記スライダが前記ストッパに当接している位置に存在するときに、もしくは、前記スライダが前記ストッパの近傍に存在しているときに、前記スライダと前記ストッパとが前記重ねた部材の内側に入り込み、前記折った部位が、前記レールの長手方向と交差する方向に延びるようにして、前記本体部の一方の縁に一体的に設けられたカバー部材とを有する上衣である。
【００１０】
請求項６に記載の発明は、請求項５に記載の上衣において、前記カバー部材の前記折った部位に、前記本体部の近傍に位置する部位を基点として前記本体部から離れる側に向かって所定の長さの切り込みが設けられていることを特徴とする上衣である。
【発明の効果】
【００１１】
本発明によれば、洗濯する際にファスナのスライダを開いておいても、洗濯機のドラムが傷つくおそれやスライダが破損するおそれを回避することができるという効果を奏する。
【発明を実施するための最良の形態】
【００１２】
図１、図２は、本発明の実施形態に係るファスナのカバー構造２１を備えた上衣１の概略構成を示す図である。なお、図１は、ファスナ７を閉じてカバー部材２３でファスナ７の端部を覆っている状態を示してあり、図２は、ファスナ７を開いてカバー部材２３でファスナ７の端部を覆っている状態を示してある。また、図１では、スライダ（各レール９、１１の上端部に位置しているスライダ）１３の表示を省略してある。
【００１３】
図３は、図２におけるＩＩＩ部の拡大図であり、図４は、図３に相当する拡大図であり、ファスナ７を開きまたカバー部材２３をめくってファスナ７の端部を露出した状態を示してある。
【００１４】
上衣１は、前側のほぼ中央に上下に延びた開閉部（前側の左右の部位同士が完全に分離されるような開閉部；前立て）３が形成されている本体部５を備えている。
【００１５】
開閉部３には、ファスナ（線ファスナ）７が設けられており、このファスナ７により、開閉部３を閉じた状態（図１参照）や開いた状態（図２参照）にすることができるようになっている。
【００１６】
ファスナ７は、各レール９、１１と、スライダ１３と、ストッパ１５とを備えて構成されている。一方のレール９は、本体部５に形成されている開閉部３の一方の縁３Ａに沿って本体部５に縫合されて一体的に設けられている。他方のレール１１は、本体部５に形成されている開閉部３の他方の縁３Ｂに沿って本体部５に縫合されて一体的に設けられている。
【００１７】
ストッパ１５は、一方のレール９の下端でレール９に一体的に設けられている。ストッパ１５は、スライダ１３をレール９、１１の端部まで移動してレール９をレール１１から分離しファスナ７を完全に開いたときに、スライダ１３が一方のレール９から脱落することを防止するために設けられているものである。また、ストッパ１５は、ファスナ７を閉じるときに他方のレール１１の端部を挿入して保持するために設けられているものである。
【００１８】
スライダ１３は、ファスナ７を開くときもしくは閉じるときに、ファスナ７の一方のレール９と他方のレール１１に係合して移動するものであり、引き手１９とレール９、１１に係合する本体部１７とを備えて構成されている。
【００１９】
上衣１は、カバー部材２３を具備したファスナのカバー構造２１を備えている。カバー部材２３は、スライダ１３がストッパ１５に当接している位置に存在するときに、もしくは、スライダ１３がストッパ１５の近傍に存在しているときに、スライダ１３を覆うものであり、本体部５の一方の縁（開閉部３の一方の縁３Ａの下端部）に縫合されて一体的に設けられている。
【００２０】
カバー部材２３について、図５（カバー部材２３の概略構成を示す図）を参照してさらに詳しく説明する。
【００２１】
カバー部材２３は、頂角２５が鈍角である二等辺三角形状で板状の部材２７（図５（ａ）参照）を２つの斜辺２７Ａ、２７Ｂがお互いにほぼ重なるように、中心線ＣＬ１のところで折って重ねた直角三角形状（図５（ｂ）参照）に形成されている。
【００２２】
そして、スライダ１３がストッパ１５に当接している位置に存在するときに、もしくは、スライダ１３がストッパ１５の近傍に存在しているときに、スライダ１３（スライダの本体部１７とスライダの引き手１９）とストッパ１５とが重ねた部材２７の内側（重ねた部材２７の間）に入り込むように、カバー部材２３が本体部５に一体的に設けられている。
【００２３】
また、折った部位（図５（ｂ）に示す直角三角形の直角を挟む２つの辺のうちでつながっている部位（中心線ＣＬ１に相当する）２８が、ストッパ１５を間にした一方のレール９の反対側でレール９の長手方向と交差する方向（たとえばほぼ直交する方向で本体部５から離れる方向）に延びるように、カバー部材２３が本体部５に一体的に設けられている。
【００２４】
なお、カバー部材２３の直角三角形（図５（ｂ）参照）の直角Ｒを挟む２つの辺のうちで離れている部位２９が本体部５の一方の縁３Ａの下側に接続されるようにして、カバー部材２３が本体部５に一体的に設けられている。
【００２５】
また、ファスナ７によって本体部５の開閉部３を閉じてさらにカバー部材２３でストッパ１５を覆った状態では、図５（ｂ）に示す直角三角形の斜辺に相当する部位３１は、ファスナ７（レール９、１１）の長手方向と斜めに交差する方向に延びている。また、上衣１の上下方向においては、カバー部材２３の下端（折って重ねてある部位）２８は、上衣１の下端（裾）３Ｃとほぼ同じところに位置しており、上衣１の裾３Ｃをほぼ延長する方向に延びている。さらに、カバー部材２３は、ストッパ１５や各レール９、１１の下部側の部位だけでなく、カバー部材２３が設けられている側とは反対側に位置している開閉部３の他方の縁３Ｂの下端の部位を覆うようになっている（図２参照）。
【００２６】
なお、上記説明では、斜辺２７Ａ、２７Ｂが直線状に形成されているものとしているが、図５（ａ）や図５（ｂ）で示すように、斜辺２７Ａ、２７Ｂは、大きな半径の円弧状で凸状に形成されている。このように円弧状に形成されていることによって、本体部５に取り付けられたカバー部材２３の見栄えを、斜辺２７Ａ、２７Ｂを、単に直線状にした場合に比べて良好なものにすることができる。すなわち、斜辺２７Ａ、２７Ｂを単に直線状に形成すると、カバー部材２３の先端部（図３に示すＡ部）が尖ってしまい、カバー部材２３の外観が刺々しいものになるが、斜辺３１（２７Ａ、２７Ｂ）を円弧状に形成されていることにより、カバー部材２３の先端部（図３の示すＡ部）の尖りが目立たなくなり見栄えが良くなっている。
【００２７】
また、カバー部材２３には、カバー部材２３内に塵が溜まることを防止するための塵抜き用開口部３３が設けられている（図５（ｃ）参照）。
【００２８】
塵抜き用開口部３３は、たとえば、カバー部材２３の折った部位２８に設けられている。より詳しくは、塵抜き用開口部３３は、本体部５の近傍に位置する部位を基点として本体部５から離れる側に向かい所定の長さにわたって所定のわずかな幅で設けられた切り込みで形成されている（図４参照）。なお、図５（ｃ）に斜線で示した部位は、本体部５に設置される部位である。
【００２９】
塵抜き用開口部３３が設けられていることによって、スライダ１３が移動する側の部位に加えて、この開口している部位のほぼ反対側でも、カバー部材２３が開口していることになる。塵抜き用開口部３３が折った部位２８の全長にわたって設けられているわけではないので、カバー部材２３は、本体部５から離れた先端部側の部位で、お互いにつながっており、カバー部材２３が容易にめくれてストッパ１５等が露出しないようになっている。
【００３０】
なお、当然のことではあるが、本体部５やカバー部材２３の端部には、布のほつれを防止するために、折り返し部分（図示せず）等が設けられている。
【００３１】
ここで、上衣１を着用する場合について説明する。
【００３２】
まず、図２に示すようにファスナ７が開いており、また、図４に示すようにカバー部材２３が開いて（めくれて）スライダ１３やストッパ１５が露出している状態で、人が上衣１に袖を通す。続いて、レール１１の下端をストッパ１５に挿入し、スライダ１３を持ち上げてファスナ７（開口部３）を閉じて、カバー部材２３でスライダ１３とストッパ１５とを覆う（図１参照）。
【００３３】
次に、着用している上衣１を脱ぐ場合について説明する。
【００３４】
まず、スライダ１３を下降して、ストッパ１５のところまでもっていき、カバー部材２３をめくって、ストッパ１５とスライダ１３とを露出する。続いて、レール１１をストッパ１５から外して開口部３（ファスナ７）を開き、上衣１を脱いでカバー部材２３でストッパ１５とスライダ１３とを覆う。このようにして脱いだ上衣１が、洗濯機で洗濯される。
【００３５】
上衣１によれば、ファスナ７が開いた状態でファスナ７のスライダ１３やストッパ１５を覆うカバー部材２３が設けられているので、洗濯の際にスライダ１３やストッパ１５が直接洗濯機のドラムにぶつかることがなくなり、洗濯する際にファスナ７（開口部３）を、図２に示すように開いておいても、洗濯機のドラムが傷つくおそれやスライダ１３が破損するおそれを回避することができる。
【００３６】
また、洗濯する際の作業を軽減することができる。すなわち、着用していた上衣１を作業者が洗濯に出す場合、洗濯をする者がファスナ７を閉じる必要がなくなる。また、カバー部材２３でスライダ１３やストッパ１５を覆うことを作業者が忘れていた場合に、洗濯をする者が、ストッパ１５のところに位置しているスライダ１３とストッパ１５とをカバー部材２３で覆うようにすればよいので、洗濯をする際の準備作業が軽減されることになる。
【００３７】
また、ファスナ７を閉めて上衣１を着用しているときに、カバー部材２３でファスナ７のストッパ１５を覆うように（図２参照）すればストッパ１５が机等に直接接触することがなくなり、机等の傷つきを防止することができる。
【００３８】
また、カバー部材２３が三角形状に形成されているので、カバー部材２３でストッパ１５を覆っている状態においても、ファスナ７のスライダ１３がカバー部材２３の内側に入りやすくなっており、上衣１を着用している者が、上衣１を脱ぐ際、ファスナ７を開きやすくなっている。
【００３９】
また、上衣１によれば、所定の長さの切り込み２３が設けられているので、この切り込み２３がゴミ抜き孔として作用し、カバー部材２３の内側に糸くず等の塵がたまることを抑制することができる。
【００４０】
また、所定の長さの切り込み２３が設けられていることによって、カバー部材２３をめくりやすくなっている。たとえば、洗濯終了後においては、上衣１の開閉部３（ファスナ７）が開いておりカバー部材２３がストッパ１５やスライダ１３を覆っている。この状態から作業者が上衣１を着用しファスナ７を閉じるべく、カバー部材２３をめくってストッパ１５とスライダ１３とを露出させるわけであるが、上述したカバー部材２３をめくる作業において、所定長さの切り込み２３が設けられているがゆえに、カバー部材２３をめくる作業が容易になっている。
【００４１】
なお、上記実施形態では、ファスナ７のカバー構造２１を上衣に採用した場合を例に掲げて説明したが、下衣、ペット等の動物用の衣類、布団カバー、クルマのシートカバー等のカバー用具にも、ファスナのカバー構造２１を採用することができる。
【００４２】
すなわち、上述したカバー構造２１は、シート状の基材（たとえば布や樹脂で形成された基材）と、前記基材の縁に沿って前記基材に一体的に設けられたファスナの一方のレールと、前記ファスナを開くときもしくは閉じるときに前記レール（前記ファスナの一方のレールや他方のレール）に係合して移動する前記ファスナのスライダと、前記ファスナを開いて前記一方のレールを前記ファスナの他方のレールから分離すべく前記スライダを前記レールの端部まで移動した場合、前記スライダが前記一方のレールから脱落することを防止するために、また、前記ファスナを閉じるときに前記他方のレールの端部を挿入して保持するために、前記一方のレールの端部で前記一方のレールに一体的に設けられた前記ファスナのストッパと、前記スライダが前記ストッパに当接している位置に存在するときに、もしくは、前記スライダが前記ストッパの近傍に存在しているときに、前記スライダを覆うために前記基材に一体的に設けられたカバー部材（ファスナを開閉すべく前記スライダが前記レールに係合して移動することができるような開口部（スライダ用開口部）が、一部に設けられているカバー部材）とを有するファスナのカバー構造の例である。
【図面の簡単な説明】
【００４３】
【図１】本発明の実施形態に係るファスナのカバー構造を備えた上衣の概略構成を示す図である。
【図２】本発明の実施形態に係るファスナのカバー構造を備えた上衣の概略構成を示す図である。
【図３】図２におけるＩＩＩ部の拡大図である。
【図４】図３に相当する拡大図であり、ファスナを開きまたカバー部材をめくってファスナの端部を露出した状態を示してある。
【図５】カバー部材の概略構成を示す図である。
【符号の説明】
【００４４】
１  上衣
３  開閉部
３Ａ、３Ｂ  縁
５  本体部
７  ファスナ
９、１１  レール
１３  スライダ
１５  ストッパ
２１  ファスナのカバー構造
２３  カバー部材
３３  塵抜き用開口部
【図１】
2009007704.tif 000003
【図２】
2009007704.tif 000004
【図３】
2009007704.tif 000005
【図４】
2009007704.tif 000006
【図５】
2009007704.tif 000007